(57)【要約】【課題】給水管の更新を効率良く行い、断水回数・時間を低減する。【解決手段】集合住宅の受水槽４から水を送り出すポンプ５に、第一流出口２１ｂと第二流出口２２ｂを備えた配管ユニットを接続する工程と、仮設給水管３０を第一流出口２１ｂに接続し、既設給水管に並行して敷設する工程と、既設給水管からの住戸への給水を停止し、既設給水管の枝管を各住戸から切り離すとともに、仮設給水管３０の枝管３３を住戸に接続し、仮設給水管３０による住戸への給水を開始する工程と、新設給水管４０を第二流出口２２ｂに接続して敷設する工程と、仮設給水管３０による給水を停止し、仮設給水管３０の枝管３３を各住戸から切り離すとともに、新設給水管４０の枝管４３を住戸に接続し、新設給水管４０による住戸への給水を開始する工程と、を備える。【選択図】図７
2014070700.tif 000002
【特許請求の範囲】
【請求項１】
集合住宅の各住戸に敷設された既設給水管を新設給水管に敷設替えする方法であって、受水槽から水を送り出すポンプに、第一流出口と第二流出口を備えた配管ユニットを接続する工程と、
仮設給水管を前記第一流出口に接続して敷設する工程と、
前記住戸のそれぞれにおいて、前記既設給水管から前記住戸への給水を停止して前記既設給水管の枝管を前記住戸から切り離すとともに、前記仮設給水管の枝管を前記住戸に接続し、前記第一流出口から前記仮設給水管を介して前記住戸への給水を開始する工程と、
前記新設給水管を前記第二流出口に接続して敷設する工程と、
前記住戸のそれぞれにおいて、前記第一流出口からの給水を停止して前記仮設給水管の前記枝管を前記住戸から切り離すとともに、前記新設給水管の枝管を前記住戸に接続し、前記第二流出口から前記新設給水管を介して前記住戸への給水を開始する工程と、
を備えることを特徴とする給水管の敷設替え方法。
【請求項２】
前記新設給水管の前記枝管に仕切弁が設けられ、
前記第二流出口から前記新設給水管を介して前記住戸への給水を開始するに先立ち、前記仕切弁を閉じた状態で、前記第二流出口から前記新設給水管に通水し、前記新設給水管の水圧試験を行うことを特徴とする請求項１に記載の給水管の敷設替え方法。
【請求項３】
前記新設給水管の前記枝管において、前記仕切弁以降の前記住戸側の部分に、予め水圧試験を行ったユニット部品を用いることを特徴とする請求項２に記載の給水管の敷設替え方法。
【請求項４】
請求項１から３のいずれか一項に記載の給水管の敷設替え方法に用いられる配管ユニットであって、
第一流入口および第一流出口を有した第一配管と、
第二流入口および第二流出口を有した第二配管と、
前記第一配管と前記第二配管とをそれぞれの長さ方向中間部で連通させるバイパス管と、
前記第一流入口、前記第一流出口、前記第二流入口、前記第二流出口のそれぞれに設けられた開閉バルブと、
を備えることを特徴とする配管ユニット。
【発明の詳細な説明】
【技術分野】
【０００１】
本発明は、集合住宅における給水管の敷設替え方法およびそれに用いる配管ユニットに関する。
【背景技術】
【０００２】
集合住宅においては、公共水道本管から水道水を受水槽に取り込んだ後、ポンプにより、各住戸に給水している（例えば下記特許文献１）。各住戸へは、ポンプから直接給水する場合と、ポンプで集合住宅の建屋の屋上に設けた水槽に揚水し、この水槽から各住戸に給水する場合がある。
いずれの場合においても、ポンプまたは水槽から、横方向に敷設された横引き配管と、横引き配管から建屋に上下方向に連続して設けられたパイプシャフト内を通して敷設された縦引き配管と、縦引き配管から各住戸に分配された枝管とを経て、各住戸に給水がなされている。
【０００３】
このような横引き配管、縦引き配管、枝管等からなる給水管は、使用期間が長期間にわたると、適宜タイミングで更新する必要が生じる。
給水管の更新の一般的な手順としては、まず、既設給水管を利用したままの状態で、仮設給水管を敷設する。そして、仮設給水管の敷設後に、ポンプまたは水槽に接続されている既設給水管を仮設給水管につなぎ替える。さらに、既設給水管から各住戸に分岐して水道用のメータに接続された既設の枝管を、仮設の枝管につなぎ替える。これにより各住戸への給水が既設給水管から仮設給水管に切り替えられる。
【０００４】
次いで、仮設給水管により各住戸に給水を行いながら、既設給水管を撤去し、そこに新設給水管を敷設する。
しかる後、ポンプまたは水槽に接続されている仮設給水管を新設給水管につなぎ替える。そして、各住戸の水道用のメータに接続された仮設の枝管を、新設給水管から分岐した新設の枝管につなぎ替える。これにより、各住戸への給水が仮設給水管から新設給水管に切り替えられる。
【先行技術文献】
【特許文献】
【０００５】
【特許文献１】特開平１１−１０７３３５号公報
【発明の概要】
【発明が解決しようとする課題】
【０００６】
しかしながら、上述したような従来の手法においては、既設給水管から仮設給水管への切り替え時、仮設給水管から新設給水管への切り替え時において、ポンプまたは水槽へのつなぎ替えを行うために、そのポンプまたは水槽に接続された系統全体の複数の住戸が同時に断水する。また、各住戸の水道用のメータに接続された既設の枝管を仮設の枝管につなぎかえるとき、同様に仮設の枝管から新設の枝管につなぎかえるときには、各住戸に対して順次工事が行われるため、断水からの復旧も、住戸毎に順次行われる。
このようにして、給水管の敷設替え時には、断水回数・時間ともに多く、居住者に不都合を与えている。
そこで本発明は、給水管の更新を効率良く行い、断水回数・時間を低減することのできる給水管の敷設替え方法、およびそれに用いる配管ユニットを提供する。
【課題を解決するための手段】
【０００７】
本発明は、上記課題を解決するため、以下の手段を採用する。
すなわち、本発明の給水管の敷設替え方法は、集合住宅の各住戸に敷設された既設給水管を新設給水管に敷設替えする方法であって、受水槽から水を送り出すポンプに、第一流出口と第二流出口を備えた配管ユニットを接続する工程と、仮設給水管を前記第一流出口に接続して敷設する工程と、前記住戸のそれぞれにおいて、前記既設給水管から前記住戸への給水を停止して前記既設給水管の枝管を前記住戸から切り離すとともに、前記仮設給水管の枝管を前記住戸に接続し、前記第一流出口から前記仮設給水管を介して前記住戸への給水を開始する工程と、前記新設給水管を前記第二流出口に接続して敷設する工程と、前記住戸のそれぞれにおいて、前記第一流出口からの給水を停止して前記仮設給水管の前記枝管を前記住戸から切り離すとともに、前記新設給水管の枝管を前記住戸に接続し、前記第二流出口から前記新設給水管を介して前記住戸への給水を開始する工程と、を備えることを特徴とする。
この方法によれば、新設給水管をポンプに接続するときには、仮設給水管によって各住戸に給水を行ったまま、新設給水管を配管ユニットの第二流出口に接続すればよい。したがって、断水は、各住戸への給水を既設給水管から仮設給水管に切り替える時、仮設給水管から新設給水管に切り替える時のみとなる。
【０００８】
本発明の給水管の敷設替え方法は、前記新設給水管の前記枝管に仕切弁が設けられ、前記第二流出口から前記新設給水管を介して前記各住戸への給水を開始するに先立ち、前記仕切弁を閉じた状態で前記第二流出口から前記新設給水管に水を送り出し、前記新設給水管の水圧試験を行うのが好ましい。
これにより、新設給水管の系統全体の水圧試験を行うことができる。
従来の給水管の敷設替え手法の場合、水圧試験は、仮設給水管を新設給水管に切り替えた後、各住戸への給水を行わずに新設給水管に水圧を掛けることで行うため、各住戸における断水時間が長くなっていた。これに対し、上記構成によれば、水圧試験の間、各住戸へは、仮設給水管による給水が行われるため、水圧試験の実施に何らの支障は生じない。
また、新設給水管において、塩化ビニール製の配管や、電気融着を用いるポリエチレン管を用いた場合、配管の接続後、接続部の温度が下がるまでの養生時間が過ぎてからでないと水圧試験を行うことができないが、上記構成によれば、接続部の養生時間も確実に確保できる。
また、水圧試験時における新設給水管への水の供給は、配管ユニットを通して行われる。従来は、仮設給水管を給水に使用しながら、新設給水管の枝管にホース等を接続し、このホースから新設給水管に注水することによって水圧試験を行うしかなく、新設給水管に水が溜まるまで長い時間がかかっていた。これに対し、上記構成によれば、流量が多く確保でき、新設給水管への水の充填を迅速に行える。
【０００９】
さらに、前記新設給水管の前記枝管において、前記仕切弁以降の前記各住戸側の部分に、予め水圧試験を行ったユニット部品を用いるのが好ましい。
これにより、敷設替えの現場では上記方法で水圧試験を行うことのできない、枝管の仕切弁以降の住戸側の部分の性能を保証することができる。
【００１０】
本発明は、上記したような給水管の敷設替え方法に用いられる配管ユニットであって、第一流入口および第一流出口を有した第一配管と、第二流入口および第二流出口を有した第二配管と、前記第一配管と前記第二配管とをそれぞれの長さ方向中間部で連通させるバイパス管と、前記第一流入口、前記第一流出口、前記第二流入口、前記第二流出口のそれぞれに設けられた開閉バルブと、を備えることを特徴とする。
【発明の効果】
【００１１】
本発明によれば、断水は、各住戸への給水を既設給水管から仮設給水管に切り替える時、仮設給水管から新設給水管に切り替える時のみとなるため、給水管の更新を効率良く行い、断水回数・時間を低減することが可能となる。
【図面の簡単な説明】
【００１２】
【図１】敷設替え対象となる既設給水管を備えた集合住宅の一例を示す図である。
【図２】配管ユニットの構成を示す図である。
【図３】本実施形態における給水管の敷設替え方法の流れを示す模式図であり、既設給水管と並行して仮設給水管を設けた状態を示す図である。
【図４】同、仮設給水管で給水を行っている状態を示す図である。
【図５】同、仮設給水管に並行して新設給水管を設けた状態を示す図である。
【図６】同、新設給水管の水圧試験を行っている状態を示す図である。
【図７】同、各住戸において、仮設給水管から新設給水管に接続替えを行っている状態を示す図である。
【図８】同、仮設給水管を撤去した状態を示す図である。
【発明を実施するための形態】
【００１３】
以下、添付図面を参照して、本発明による給水管の敷設替え方法、およびそれに用いる配管ユニットを実施するための最良の形態を説明する。しかし、本発明はこれらの実施形態に限定されるものではない。
【００１４】
図１は、敷設替え対象となる既設給水管１０を備えた集合住宅１の一例を示すものである。
図１に示すように、集合住宅１は、複数階のそれぞれに住戸２が設けられている。
集合住宅１においては、公共水道本管３から水道水を受水槽４に取り込む。そして、受水槽４に溜めた水道水をポンプ５により既設給水管１０を通して各住戸２へと給水している。
【００１５】
既設給水管１０は、横方向に敷設された横引き配管１１と、縦方向に敷設された縦引き配管１２とを備える。
集合住宅１には、上下方向に貫通するパイプスペース７が設けられている。横引き配管１１は、複数のパイプスペース７の下部を通るように設けられている。
縦引き配管１２は、各パイプスペース７内に設けられ、その下端部１２ａが横引き配管１１に接続されている。
【００１６】
各階において、縦引き配管１２には、各住戸２のメータに接続される枝管１３が分岐して設けられている。
【００１７】
このような既設給水管１０を敷設替えするには、以下のようにする。
敷設替えには、図２に示すような、配管ユニット２０を用いる。配管ユニット２０は、第一管体２１および第二管体２２と、第一管体２１と第二管体２２とをそれぞれの長手方向中間部どうしで接続するバイパス管２３とを備えている。
第一管体２１，第二管体２２の両端部には、開閉バルブ２４Ａ，２４Ｂ，２５Ａ，２５Ｂが設けられている。
【００１８】
（仮設配管の敷設）
図３に示すように、まず、配管ユニット２０を、ポンプ５に接続する。
このとき、配管ユニット２０の第一管体２１，第二管体２２の流入口（第一流入口）２１ａ，流入口（第二流入口）２２ａに、それぞれポンプ５に接続した配管２６，２６を接続する。ここで、配管ユニット２０の各開閉バルブ２４Ａ，２４Ｂ，２５Ａ，２５Ｂは閉じておく。なお、ポンプ５は、既設のものをそのまま用いることもできるし、受水槽４に新たに接続した新設のポンプ５であってもよい。
【００１９】
次いで、既設給水管１０を使用したままの状態で、仮設給水管３０を敷設する。仮設給水管３０は、パイプスペース７外に敷設する。仮設給水管３０としては、横引き配管３１、縦引き配管３２、枝管３３がある。
横引き配管３１は、配管ユニット２０の第一管体２１の流出口（第一流出口）２１ｂに接続する。
縦引き配管３２は、それぞれのパイプスペース７（図１参照）の近傍において横引き配管３１に接続し、パイプスペース７に沿って、上階に向けて敷設する。ここで、縦引き配管３２は、パイプスペース７の外部に敷設するのが好ましい。
【００２０】
また、縦引き配管３２から各住戸２に分岐される枝管３３は、各住戸２のメータ８には接続せず、枝管３３に開閉バルブ３３Ｖを設け、この開閉バルブ３３Ｖを閉じておく。
【００２１】
ここで、仮設給水管３０を構成する横引き配管３１、縦引き配管３２、枝管３３には、塩化ビニール管、ポリエチレン管等を用いることができる。これに伴い、図２に示したように、配管ユニット２０において、少なくとも、横引き配管３１を接続する第一管体２１の流出口２１ｂは、接続フランジ２９を有し、この接続フランジ２６に横引き配管３１を接続する構成とするのが好ましい。本実施形態においては、第一管体２１の流入口２１ａ，流出口２１ｂ、第二管体２２の流入口２２ａ，流出口（第二流出口）２２ｂの全てが接続フランジ２９を有したものとされている。
【００２２】
全ての住戸２への枝管３３までの敷設が完了した後に、配管ユニット２０の第一管体２１の流入口２１ａ，流出口２１ｂの開閉バルブ２４Ａ，２４Ｂを開く。これにより、水道水は、各枝管３３の開閉バルブ３３Ｖまで満たされる。
【００２３】
（既設配管の撤去）
次いで、図４に示すように、各住戸２のメータ８に接続されている枝管１３をメータ８から取り外し、これに代えて、開閉バルブ３３Ｖに接続管３３Ｕを接続することによって、枝管３３をメータ８に接続する。そして、開閉バルブ３３Ｖを開いて、各住戸２に通水する。
この枝管１３から枝管３３への接続替えの際に、各住戸２においては断水が生じる。この断水は、各住戸２ごとに、枝管１３から枝管３３への接続替えを行う間だけで良く、開閉バルブ３３Ｖを開けば直ちに通水されるため、断水時間が短くて済む。
【００２４】
全ての住戸２のメータ８から、枝管１３を取り外した後に、既設給水管１０を構成する枝管１３、縦引き配管１２、横引き配管１１を撤去する。
【００２５】
（新設配管の敷設）
この後、図５に示すように、仮設給水管３０を使用しながら、新設給水管４０を敷設する。新設給水管４０としては、横引き配管４１、縦引き配管４２、枝管４３、開閉バルブ４３Ｖ、接続管４３Ｕ（図７参照）がある。
横引き配管４１は、配管ユニット２０の第二管体２２の流出口２２ｂに接続する。
縦引き配管４２は、それぞれのパイプスペース７（図１参照）の下方において横引き配管４１に接続し、パイプスペース７内を通して上階に向けて敷設する。
【００２６】
また、縦引き配管４２から各住戸２に分岐される枝管４３は、各住戸２のメータ８には接続せず、枝管４３に開閉バルブ（仕切弁）４３Ｖを設け、これを閉じておく。
【００２７】
（水圧試験）
図６に示すように、全ての住戸２への枝管４３までの敷設が完了した後に、配管ユニット２０の第二管体２２の流入口２２ａ，流出口２２ｂの開閉バルブ２５Ａ，２５Ｂを開いて、新設給水管４０の横引き配管４１、縦引き配管４２、枝管４３に所定の水圧を加える。この状態で、配管ユニット２０の第二管体２２の流出口２２ｂの開閉バルブ２５Ｂを閉じ、新設給水管４０に水圧を加えた状態を所定時間維持することによって、水圧試験を行う。これにより、新設給水管４０の管路全体で、所定の性能を確保することができる。
上記の水圧試験は、新設給水管４０を敷設して、横引き配管４１、縦引き配管４２、枝管４３を構成する配管部材どうしの接続に熱融着等を用いた場合、融着後に接続部分の温度が低下するまでの所定の養生時間（例えば３０分〜１時間）が経過した後に行う。
このとき、ポンプ５から配管ユニット２０を介して新設給水管４０に水道水を供給することで水圧試験を行うことができるので、新設給水管４０に短時間で水を満たして水圧試験を行うことができ、効率が良い。
【００２８】
（仮設配管から新設給水管への切替え）
水圧試験の終了後、図７に示すように、配管ユニット２０の第二管体２２の流出口２２ｂの開閉バルブ２５Ｂを開き、新設給水管４０に通水しておく。これにより、各枝管４３の開閉バルブ４３Ｖの部分まで水道水が満たされる。
この後、各住戸２において、枝管３３に設けた開閉バルブ３３Ｖを閉じ、メータ８に接続されている接続管３３Ｕをメータ８から取り外し、これに代えて、開閉バルブ４３Ｖに接続管４３Ｕを接続することによって、枝管４３をメータ８に接続する。接続後、枝管４３の開閉バルブ４３Ｖを開いて通水する。この枝管３３から枝管４３への接続替えの際に、各住戸２においては断水が生じるが、開閉バルブ４３Ｖを開けば直ちに通水がなされる。
【００２９】
なおここで、枝管４３において、開閉バルブ４３Ｖ以降の、各住戸２側の部分を構成する接続管４３Ｕについては、現場での上記の水圧試験を行うことができないため、予め工場で組み立てて水圧試験を行ったユニット部品を用いるのが好ましい。
【００３０】
全ての住戸２のメータ８から、枝管３３を取り外した後に、配管ユニット２０の第一管体２１の開閉バルブ２４Ａ、２４Ｂを閉じる。そして、仮設給水管３０を構成する、接続管３３Ｕ、枝管３３、縦引き配管３２、横引き配管３１を撤去する。
これにより、図８に示すように、仮設給水管３０から新設給水管４０への敷設替えが終了する。
【００３１】
上述したように、ポンプ５に接続され、仮設給水管３０と新設給水管４０にそれぞれ独立して給水を行える配管ユニット２０を用いることにより、各住戸２における断水は、各住戸２のメータ８に対する枝管１３から枝管３３への接続替え時、メータ８に対する枝管３３から枝管４３への接続替え時の２回のみとなる。これにより、同じ縦引き配管１２，３２，４２に接続された上下複数階の住戸２で系統的に断水することがなく、それぞれの断水時間も短くて済む。これにより、居住者に与える不便・不都合を最小限とすることができる。
また、配管ユニット２０において仮設給水管３０に給水して各住戸２においては不自由なく水道を利用しながら、配管ユニット２０から新設給水管４０に水を送り込んで水圧試験を行うことができる。これによって、新設給水管４０の管路全体で、所定の水圧性能を確保することが可能となる。
さらに、水圧試験に際しては、新設給水管４０の枝管４３からホースで水を給水する必要がなく、配管ユニット２０を介し、ポンプ５から直接水を新設給水管４０に送り込むことができるため、通水時間が大幅に短縮でき、水圧試験を効率良く行うことができる。
【００３２】
（その他の実施形態）
なお、本発明の給水管の敷設替え方法、およびそれに用いる配管ユニットは、図面を参照して説明した上述の各実施形態に限定されるものではなく、その技術的範囲において様々な変形例が考えられる。
例えば、配管ユニット２０において、第一管体２１と第二管体２２とを、バイパス管２３により連結して、略Ｈ状をなす構成を図２に示したが、これに限るものではなく、第一管体２１、第二管体２２、バイパス管２３のレイアウト・形状はいかなるものとしてもよい。さらには、配管ユニット２０の流入口を一つとし、途中で分岐して、仮設給水管３０の流出口と、新設給水管４０の流出口とを備える構成とすることも可能である。
さらに、既設給水管１０から新設給水管４０への敷設替え手順の細部については、適宜変更することが可能である。
これ以外にも、本発明の主旨を逸脱しない限り、上記実施の形態で挙げた構成を取捨選択したり、他の構成に適宜変更することが可能である。
【符号の説明】
【００３３】
１  集合住宅
２  住戸
５  ポンプ
７  パイプスペース
８  メータ
１０  既設給水管
１３  枝管
２０  配管ユニット
２１ａ  流入口（第一流入口）
２１ｂ  流出口（第一流出口）
２２ａ  流入口（第二流入口）
２２ｂ  流出口（第二流出口）
２３  バイパス管
２４Ａ，２４Ｂ，２５Ａ，２５Ｂ  開閉バルブ
２６  配管
３０  仮設給水管
３３  枝管
４０  新設給水管
４３  枝管
４３Ｕ  接続管（ユニット部品）
４３Ｖ  開閉バルブ（仕切弁）
【図１】
2014070700.tif 000003
【図２】
2014070700.tif 000004
【図３】
2014070700.tif 000005
【図４】
2014070700.tif 000006
【図５】
2014070700.tif 000007
【図６】
2014070700.tif 000008
【図７】
2014070700.tif 000009
【図８】
2014070700.tif 000010